(57)【要約】【課題】原稿の端部に対する照射光量を増すことが可能な画像読み取り装置を提供する。【解決手段】光源５５は、一端部が第１の貫通孔４６に挿入され、他端部が第２の貫通孔４７に挿入されることで、光源支持部材２５により支持される。この結果、光源５５は、その中央部が第１プラテンガラス５２Ａから最も離間し、その両端部が第１プラテンガラス５２Ａに最も接近するように撓んだ状態で配置される。付言すれば、光源５５は、長手方向における中央部よりも両端部が第１プラテンガラス５２Ａ側に位置するように撓んだ状態で配置される。ベース部４０に設けられた突出部４１は、撓んだ光源５５の中央部に接触し光源５５が必要以上に撓むことを規制している。【選択図】図２
2009194878.tif 000002
【特許請求の範囲】
【請求項１】
光透過性を有し、原稿を支持する支持部と、
前記支持部を通じて前記原稿に光を照射する長尺状の光源と、
前記光源から照射された光の前記原稿からの反射光を受光して当該原稿の画像を読み取る読み取り手段と、
を備え、
前記光源は、長手方向における中央部よりも両端部が前記支持部側に位置するように形成されていることを特徴とする画像読み取り装置。
【請求項２】
前記光源は、前記支持部が撓んだ際に当該支持部と非接触となる位置に配置されていることを特徴とする請求項１記載の画像読み取り装置。
【請求項３】
前記光源は、熱膨張時の長手方向における伸張が可能な状態で支持されていることを特徴とする請求項１又は２に記載の画像読み取り装置。
【請求項４】
前記光源は、長手方向の少なくとも一端部に有した長穴に光源支持部に設けられた突出部が挿入されることで前記伸張が可能な状態で支持されていることを特徴とする請求項３記載の画像読み取り装置。
【請求項５】
前記光源は、長手方向における少なくとも一端部が光源支持部に設けられた孔又はスリットに挿入されることで前記伸張が可能な状態で支持されていることを特徴とする請求項３記載の画像読み取り装置。
【請求項６】
前記光源に接触し、当該光源からの放熱を促進する促進部を更に備えたことを特徴とする請求項１乃至５のいずれかに記載の画像読み取り装置。
【請求項７】
光透過性を有し、原稿を支持する支持部と、
前記支持部を通じて前記原稿に光を照射する長尺状の光源と、
前記光源から照射された光の前記原稿からの反射光を受光して当該原稿の画像を読み取る読み取り手段と、
を備え、
前記光源は、長手方向における中央部から両端部に向かうに従い前記支持部に漸次接近するように配置されていることを特徴とする画像読み取り装置。
【請求項８】
撓んで配置された前記光源の撓み量を規定する規定部を更に備えることを特徴とする請求項７記載の画像読み取り装置。
【請求項９】
前記規定部は、金属により形成され、前記光源の少なくとも前記中央部に対して面状に接触配置されることを特徴とする請求項８記載の画像読み取り装置。
【請求項１０】
前記読み取り手段は、前記反射光を受光するセンサと当該反射光を当該センサに結像させるレンズとを備え、
前記光源は、前記レンズのコサイン４乗則（ＣＯＳ４則）による光量低下分を補償可能な形状で形成されていることを特徴とする請求項７乃至９のいずれかに記載の画像読み取り装置。
【発明の詳細な説明】
【技術分野】
【０００１】
本発明は、原稿の画像を読み取る画像読み取り装置に関する。
【背景技術】
【０００２】
能率のよい光源を提供することを目的として、発光物質からの発光光束を透明基板側に取り出す照明に光源において、透明基板の幅方向に曲率を持たせ、発光光束を曲率中心の方向へ導くことを特徴とする照明光源が提供されている（例えば、特許文献１参照）。
【０００３】
【特許文献１】特開昭５５−３８７０７号公報
【発明の開示】
【発明が解決しようとする課題】
【０００４】
ところで、原稿に光を照射する光源を備えた画像読み取り装置では、光源がプラテンガラスなどの原稿支持部に沿って直線状に配置されるのが一般的であるが、この場合、原稿の端部における照射光量が中央部よりも低下する傾向にある。
本発明の目的は、原稿の端部に対する照射光量を増すことが可能な画像読み取り装置を提供することにある。
【課題を解決するための手段】
【０００５】
請求項１に記載の発明は、光透過性を有し、原稿を支持する支持部と、前記支持部を通じて前記原稿に光を照射する長尺状の光源と、前記光源から照射された光の前記原稿からの反射光を受光して当該原稿の画像を読み取る読み取り手段と、を備え、前記光源は、長手方向における中央部よりも両端部が前記支持部側に位置するように形成されていることを特徴とする画像読み取り装置である。
請求項２に記載の発明は、前記光源は、前記支持部が撓んだ際に当該支持部と非接触となる位置に配置されていることを特徴とする請求項１記載の画像読み取り装置である。
請求項３に記載の発明は、前記光源は、熱膨張時の長手方向における伸張が可能な状態で支持されていることを特徴とする請求項１又は２に記載の画像読み取り装置である。
請求項４に記載の発明は、前記光源は、長手方向の少なくとも一端部に有した長穴に光源支持部に設けられた突出部が挿入されることで前記伸張が可能な状態で支持されていることを特徴とする請求項３記載の画像読み取り装置である。
請求項５に記載の発明は、前記光源は、長手方向における少なくとも一端部が光源支持部に設けられた孔又はスリットに挿入されることで前記伸張が可能な状態で支持されていることを特徴とする請求項３記載の画像読み取り装置である。
請求項６に記載の発明は、前記光源に接触し、当該光源からの放熱を促進する促進部を更に備えたことを特徴とする請求項１乃至５のいずれかに記載の画像読み取り装置である。
【０００６】
請求項７に記載の発明は、光透過性を有し、原稿を支持する支持部と、前記支持部を通じて前記原稿に光を照射する長尺状の光源と、前記光源から照射された光の前記原稿からの反射光を受光して当該原稿の画像を読み取る読み取り手段と、を備え、前記光源は、長手方向における中央部から両端部に向かうに従い前記支持部に漸次接近するように配置されていることを特徴とする画像読み取り装置である。
請求項８に記載の発明は、撓んで配置された前記光源の撓み量を規定する規定部を更に備えることを特徴とする請求項７記載の画像読み取り装置である。
請求項９に記載の発明は、前記規定部は、金属により形成され、前記光源の少なくとも前記中央部に対して面状に接触配置されることを特徴とする請求項８記載の画像読み取り装置である。
請求項１０に記載の発明は、前記読み取り手段は、前記反射光を受光するセンサと当該反射光を当該センサに結像させるレンズとを備え、前記光源は、前記レンズのコサイン４乗則（ＣＯＳ４則）による光量低下分を補償可能な形状で形成されていることを特徴とする請求項７乃至９のいずれかに記載の画像読み取り装置である。
【発明の効果】
【０００７】
本発明の請求項１によれば、本発明を採用しない場合に比べ、原稿の端部に対する照射光量を増すことが可能となる。
本発明の請求項２によれば、光源と支持部との接触が回避可能となり、例えば、光源が移動可能に構成されている場合には、光源の円滑な移動を実現できる。
本発明の請求項３によれば、本発明を採用しない場合に比べ、例えば光源の歪みを抑制することができる。
本発明の請求項４によれば、光源の伸張が突出部によりガイドされ、光源の位置ずれなどを抑制することが可能となる。
本発明の請求項５によれば、伸張可能な状態での光源の支持を簡易な構成で実現することができる。
本発明の請求項６によれば、例えば光源の故障を抑制することが可能となる。
【０００８】
本発明の請求項７によれば、本発明を採用しない場合に比べ、原稿の端部に対する照射光量を増すことが可能となる。
本発明の請求項８によれば、例えば、光源が過度に撓むことを規制し光源の破損などを抑制することができる。
本発明の請求項９によれば、光源の過度の撓みを安定的に規制しつつ光源からの放熱を促進することができる。
本発明の請求項１０によれば、本発明を採用しない場合に比べ、センサにおける光量分布の均一化を図ることができる。
【発明を実施するための最良の形態】
【０００９】
以下、添付図面を参照して、本発明を実施するための最良の形態(以下、実施の形態という)について詳細に説明する。
―第１の実施形態―
図１は、第１の実施形態が適用される画像読み取り装置１の構成例を示す図である。同図に示す画像読み取り装置１では、固定された原稿の画像を読み取ることが可能であるとともに、搬送される原稿の画像を読み取ることも可能となっている。そして、この画像読み取り装置１は、積載された原稿束から原稿を順次搬送する原稿送り装置１０と、スキャンによって画像を読み込む読み取り装置５０とを備えている。
【００１０】
原稿送り装置１０は、複数枚の原稿からなる原稿束を積載する原稿積載部１１、この原稿積載部１１の下方に設けられ、読み取りが終了した原稿を積載する排紙積載部１２を備える。また、原稿送り装置１０は、原稿積載部１１の原稿を取り出して搬送するナジャーロール１３を備える。さらに、ナジャーロール１３の原稿搬送方向下流側には、フィードロールおよびリタードロールによって用紙を一枚ずつに捌く捌き機構１４が設けられる。原稿が搬送される第１搬送路３１には、原稿搬送方向上流側から順に、プレレジロール１５、レジロール１６、プラテンロール１７、およびアウトロール１８が設けられる。また、原稿送り装置１０の内部には、ＣＩＳ(Contact Image Sensor)ユニット８０が設けられている。
【００１１】
プレレジロール１５は、一枚ずつに捌かれた原稿を下流側のロールに向けて搬送すると共に原稿のループ形成を行う。レジロール１６は、回転を一旦停止した後にタイミングを合わせて回転を再開し、後述する原稿読み取り部に対してレジストレーション調整を施しながら原稿を供給する。プラテンロール１７は、読み取り装置５０にて読み込み中の原稿搬送をアシストする。アウトロール１８は、読み取り装置５０にて読み込まれた原稿をさらに下流に搬送する。また、アウトロール１８よりも原稿搬送方向下流側には、原稿を排紙積載部１２に導くための第２搬送路３２が設けられる。この第２搬送路３２には、排出ロール１９が設けられる。
【００１２】
さらに、この画像読み取り装置１では、原稿の両面に形成された画像を１プロセスで読み取ることができるよう、アウトロール１８の出口側とプレレジロール１５の入口側との間に第３搬送路３３が設けられている。なお、上述した排出ロール１９は、原稿を第３搬送路３３に反転搬送する機能も有している。
さらにまた、この画像読み取り装置１には、原稿の両面読み取りを行った際、その排出時に原稿を再度反転させて排紙積載部１２に排出するための第４搬送路３４が設けられている。この第４搬送路３４は、第２搬送路３２の上部側に設けられている。そして、上述した排出ロール１９は、原稿を第４搬送路３４に反転搬送する機能も有している。
【００１３】
一方、読み取り装置５０は、上述した原稿送り装置１０を開閉可能に支持すると共に、この原稿送り装置１０を装置フレーム５１によって支え、また、原稿送り装置１０によって搬送される原稿の画像読み取りを行っている。この読み取り装置５０は、筐体を形成する装置フレーム５１、画像を読み込むべき原稿を静止させた状態で載置する第１プラテンガラス５２Ａ、原稿送り装置１０によって搬送される原稿を読み取るための光の開口部を有する第２プラテンガラス５２Ｂを備えている。ここで、第１プラテンガラス５２Ａおよび第２プラテンガラス５２Ｂは、光透過性を有し、原稿を支持する支持部として捉えることができる。
【００１４】
また、読み取り装置５０は、第２プラテンガラス５２Ｂの下に静止し、あるいは第１プラテンガラス５２Ａの全体にわたってスキャンして画像を読み込むフルレートキャリッジ５３、フルレートキャリッジ５３から得られた光を結像部へ供給するハーフレートキャリッジ５４を備えている。フルレートキャリッジ５３には、第１プラテンガラス５２Ａ等を通じ原稿に光を照射する光源５５および原稿から得られた反射光を反射する第１ミラー５７Ａが設けられている。さらに、ハーフレートキャリッジ５４には、第１ミラー５７Ａから得られた光を結像部へ提供する第２ミラー５７Ｂおよび第３ミラー５７Ｃが設けられている。また、読み取り装置５０は、モータ等の駆動源を備え、ハーフレートキャリッジ５４およびフルレートキャリッジ５３を、副走査方向に移動させる移動機構（不図示）を備えている。
【００１５】
また、読み取り装置５０は、結像用レンズ５８およびＣＣＤイメージセンサ５９を備えている。これらのうち、結像用レンズ５８は、第３ミラー５７Ｃから得られた光学像を光学的に縮小する。また、読み取り手段の１つとして機能するＣＣＤイメージセンサ５９は、結像用レンズ５８によって結像された光学像を光電変換する。つまり、読み取り装置５０では、所謂縮小光学系を用いてＣＣＤイメージセンサ５９に像を結像させている。また、読み取り装置５０は、第１プラテンガラス５２Ａと第２プラテンガラス５２Ｂとの間に、原稿送り装置１０において搬送される原稿を案内するガイド５６Ａが形成されており、このガイド５６Ａの下部には、主走査方向に沿って伸びる白基準板５６Ｂが装着されている。
【００１６】
さらに、読み取り装置５０は、制御・画像処理ユニット７０を備える。制御・画像処理ユニット７０は、ＣＩＳユニット８０に設けられるイメージセンサ（不図示）およびＣＣＤイメージセンサ５９から入力される原稿の画像データに、所定の処理を施す。また、制御・画像処理ユニット７０は、画像読み取り装置（原稿送り装置１０、読み取り装置５０、およびＣＩＳユニット８０）の読み取り動作における各部の動作を制御する。
【００１７】
ここで、例えば、第１プラテンガラス５２Ａに置かれた原稿の画像を読み取る場合には、フルレートキャリッジ５３とハーフレートキャリッジ５４とが、２：１の割合でスキャン方向(矢印Ａ方向)に移動する。このとき、フルレートキャリッジ５３における光源５５から原稿の被読み取り面に対して光が照射される。そして、原稿からの反射光が、第１ミラー５７Ａにて反射される。その後、反射光は、第２ミラー５７Ｂ、および第３ミラー５７Ｃの順に反射されて結像用レンズ５８に導かれる。そして、結像用レンズ５８に導かれた光は、ＣＣＤイメージセンサ５９の受光面に結像される。ＣＣＤイメージセンサ５９は１次元のセンサであり、１ライン分を同時に処理している。そして、このライン方向(スキャンの主走査方向)の１ラインの読み取りが終了すると、主走査方向とは直交する方向（副走査方向）にフルレートキャリッジ５３は移動し、原稿の次のラインを読み取る。これを原稿サイズ全体に亘って実行することで、１ページの原稿読み取りが完了する。
【００１８】
一方、原稿送り装置１０によって搬送される原稿の画像を読み取る場合には、原稿送り装置１０によって搬送される原稿が第２プラテンガラス５２Ｂの上を通過する。このとき、フルレートキャリッジ５３とハーフレートキャリッジ５４とは、図１に示す実線の位置に停止した状態にある。そして、原稿送り装置１０のプラテンロール１７を経た原稿の１ライン目の反射光が、第１ミラー５７Ａ、第２ミラー５７Ｂ、および第３ミラー５７Ｃを経て結像用レンズ５８に導かれる。
【００１９】
そして、反射光は結像用レンズ５８にて結像され、ＣＣＤイメージセンサ５９によって画像が読み込まれる。そして、１次元のセンサであるＣＣＤイメージセンサ５９によって主走査方向の１ライン分が同時に処理された後、原稿送り装置１０によって搬送される原稿の次の主走査方向の１ラインが読み込まれる。その後、原稿の後端が、第２プラテンガラス５２Ｂの読み取り位置を通過することによって、副走査方向に亘って１ページの読み取りが完了する。ここで、本実施の形態では、ＣＣＤイメージセンサ５９により原稿の第一面の読み取りを行うときに、同時にＣＩＳユニット８０によって、原稿の第二面の読み取りを行うこともできる。
【００２０】
ここで、図２は、図１のＢ−Ｂ線における断面を示したものである。
同図に示すように、本実施形態におけるフルレートキャリッジ５３は、光源５５に加え、光源５５を支持する光源支持部材２５を備えている。
ここで、フルレートキャリッジ５３は、主走査方向における一方端側に配置され装置フレーム５１に設けられた不図示のガイド部によってガイドされる第１の被ガイド部５３ａと、他方端側に配置され装置フレーム５１に設けられた不図示のガイド部によってガイドされる第２の被ガイド部５３ｂとを備えている。また、第１の被ガイド部５３ａと第２の被ガイド部５３ｂとを接続する接続部５３ｃを備えている。
【００２１】
一方、光源支持部材２５は、接続部５３ｃの上方であって第１の被ガイド部５３ａと第２の被ガイド部５３ｂとの間に配置されている。そして、この光源支持部材２５は、主走査方向に沿って配置されたベース部４０と、ベース部４０の略中央部に設けられるとともに上方に（第１プラテンガラス５２Ａ側に）突出した突出部４１と、を備えている。また、ベース部４０の一方の端部から上方に向かって突出した第１の突出片４２と、ベース部４０の他方の端部から上方に向かって突出した第２の突出片４３とを備えている。
【００２２】
さらに、光源支持部材２５は、第１の突出片４２の上端部から上方且つ第２の被ガイド部５３ｂ方向、即ち斜め上方に向かって配置された第１の斜辺部４４を備えている。また、第２の突出片４３の上端部から上方且つ第１の被ガイド部５３ａ方向、即ち斜め上方に向かって配置された第２の斜辺部４５を備えている。さらに、光源支持部としての第１の斜辺部４４に、第１の斜辺部４４の厚み方向に貫通配設された第１の貫通孔４６を備え、また、光源支持部としての第２の斜辺部４５に、第２の斜辺部４５の厚み方向に貫通配設された第２の貫通孔４７を備えている。
【００２３】
一方、光源５５は、板状且つ長尺状に、付言すれば平面型に形成されている。また、この光源５５は、可撓性を有するとともに主走査方向に沿って配置される。さらに、本実施形態における光源５５は、基板５５Ａと、この基板５５Ａに形成された発光部５５Ｂとからなる所謂エレクトロルミネッセンスランプ（ＥＬランプ（ＥＬ素子））により構成されている。なお、発光部５５Ｂは、既存の技術を用いて構成することができ、例えば、基板５５Ａ側に配置されるとともに透明に形成され光透過性を有する第１の電極５５１と、第１の電極５５１の対向位置に配置される第２の電極５５３と、第１の電極５５１と第２の電極５５３との間に配置される発光層５５２と、を含んで構成することができる。なお、光源５５には、例えば、ＬＥＤ (Light Emitting Diode)を主走査方向に沿って複数配列したものを用いることもできる。
【００２４】
そして、この光源５５は、一端部が第１の貫通孔４６に挿入され、他端部が第２の貫通孔４７に挿入されることで、光源支持部材２５により支持される。この結果、本実施形態における光源５５は、その中央部が第１プラテンガラス５２Ａから最も離間し、その両端部が第１プラテンガラス５２Ａに最も接近するように撓んだ状態で配置される。付言すれば、光源５５は、長手方向における中央部よりも両端部が第１プラテンガラス５２Ａ側に位置するように撓んだ状態で配置される。さらに説明すると、光源５５は、中央部から一端部に向かうに従い第１プラテンガラス５２Ａに漸次接近するように、また、中央部から他端部に向かうに従い第１プラテンガラス５２Ａに漸次接近するように、撓んで配置される。なお、ベース部４０に設けられた突出部４１（規定部の一例）は、撓んだ光源５５の中央部に接触し光源５５が必要以上に撓むことを規制している。換言すれば、光源５５の撓み量を規定している。また、突出部４１は、第１の貫通孔４６、第２の貫通孔４７とともに、光源５５の位置決めを行っている。
【００２５】
ここで、光源５５は、上記のように、中央部から一端部に向かうに従い第１プラテンガラス５２Ａに漸次接近するように、また、中央部から他端部に向かうに従い第１プラテンガラス５２Ａに漸次接近するように、撓んで配置される。このため、光量不足が生じがちな原稿の両端部における照射光量を増すことが可能となる。
また、近年の画像読み取り装置１は、小型化がより要求されてきている。そこで、光学系の全長やＣＣＤイメージセンサ５９の長さを抑えるために、結像用レンズ５８として焦点距離の短いレンズが用いられるようになってきている。この結果、結像用レンズ５８におけるいわゆるコサイン４乗則（ｃｏｓ４則）により、ＣＣＤイメージセンサ５９（像面）における受光光量がＣＣＤイメージセンサ５９の端部に向かうに従い低下してしまう。
【００２６】
ここで、図３は、コサイン４乗則による光量低下を説明するための図である。
同図に示すように、光軸上（光軸に対する角度θ＝０°）における像面照度を１とした場合、光軸に対する角度が１８°となる箇所の像面照度は、コサイン４乗則により、約０．８程度となる。また、例えば光軸に対する角度が２７°となる箇所の像面照度は、約０．６程度となる。即ち、光軸から離れるに従い像面照度が低下してしまう。
【００２７】
一方で、本実施形態における光源５５は、上記のように、原稿の両端部における光量を増すことが可能となっている。換言すれば、光軸から離れる箇所の光量を増すことが可能となっている。このため、コサイン４乗則による光量低下を補うことが可能となる。なお、光源５５は、ＣＣＤイメージセンサ５９にて受光される光の光量が、ＣＣＤイメージセンサ５９の長手方向に亘って均一となるような形状で形成することがより望ましい。換言すれば、光源５５を、結像用レンズ５８のコサイン４乗則による光量低下分を補償可能な形状で形成することがより望ましい。
【００２８】
なお、第１プラテンガラス５２Ａには様々な原稿が置かれるが、例えば辞典、辞書など厚みを有し且つ重量を有する原稿が置かれる場合がある。さらに、ユーザにより、原稿が第１プラテンガラス５２Ａに対して押し付けられた状態で置かれる場合がある。この結果、図２の一点鎖線に示すように第１プラテンガラス５２Ａが撓む状態が発生する。そして、第１プラテンガラス５２Ａが撓むと、第１プラテンガラス５２Ａと光源５５とが接触し、フルレートキャリッジ５３の移動が阻害され、原稿の画像読み取りが適切になされないおそれが生じる。
【００２９】
このため、本実施形態における光源５５は、第１プラテンガラス５２Ａの最大撓みを想定し、最大撓み時における第１プラテンガラス５２Ａと接触しない位置に配置している。すなわち、光源５５は、第１プラテンガラス５２Ａと非接触となる位置に配置している。この結果、本実施形態では、第１プラテンガラス５２Ａと光源５５との接触を回避しつつ、原稿の端部における照射光量を増すことが可能となっている。
さらに、本実施形態における光源５５は、その一端部が第１の貫通孔４６に挿入され、その他端部が第２の貫通孔４７に挿入されることで、光源支持部材２５に支持（固定）される。即ち、光源５５は、ねじ等の締結部品を用いられることなく光源支持部材２５に固定される。このため、部品点数の削減、省スペース化を図ることができる。
【００３０】
―第２の実施形態、第３の実施形態―
次に第２の実施形態および第３の実施形態について説明する。
図４は、第２の実施形態および第３の実施形態におけるフルレートキャリッジ５３を示したものである。なお、図４（ａ）は、第２の実施形態におけるフルレートキャリッジ５３を示し、図４（ｂ）は、第３の実施形態におけるフルレートキャリッジ５３を示している。
【００３１】
まず、第２の実施形態について説明する。同図（ａ）に示すように、第２の実施形態における光源支持部材２５は、ベース部６０と、第１の突出部６１と、第２の突出部６２とを備えている。
ここで、ベース部６０は、主走査方向に沿って配置されると共に、一端部が第１の被ガイド部５３ａにより支持され他端部が第２の被ガイド部５３ｂによって支持されている。また、ベース部６０は、その一端部近傍から他端部近傍にかけて、下方に（接続部５３ｃ側に）向かって凸となる湾曲部６０ａを有している。付言すれば、下方に向かって凸となる円弧状の湾曲部６０ａを有している。
【００３２】
第１の突出部６１は、ベース部６０の上面且つ一端部に設けられ、第１プラテンガラス５２Ａに向かって突出している。また、第１の突出部６１は、第１プラテンガラス５２Ａと対向する部位に対向面６１ａを有している。そして、この対向面６１ａは、第１の被ガイド部５３ａ側が上方に位置し第２の被ガイド部５３ｂ側が下方に位置するように傾斜して形成されている。
第２の突出部６２は、ベース部６０の上面且つ他端部に設けられ、第１プラテンガラス５２Ａに向かって突出している。また、第２の突出部６２は、第１プラテンガラス５２Ａと対向する部位に対向面６２ａを有している。そして、この対向面６２ａは、第２の被ガイド部５３ｂ側が上方に位置し第１の被ガイド部５３ａ側が下方に位置するように傾斜して形成されている。
さらに、本実施形態におけるフルレートキャリッジ５３には、光源５５の一端部を第１の突出部６１の対向面６１ａに固定するねじ部材６３と、光源５５の他端部を第２の突出部６２の対向面６２ａに固定するねじ部材６４とが設けられる。
【００３３】
ここで、光源５５が、ねじ部材６３，６４によって、対向面６１ａ，６２ａに固定されると、光源５５の一端部は対向面６１ａに沿うようになり、光源５５の他端部も対向面６２ａに沿うようになる。この結果、光源５５は、第１の実施形態と同様に、その中央部が第１プラテンガラス５２Ａから最も離間し、その両端部が第１プラテンガラス５２Ａに最も接近するように撓んだ状態で配置される。そして、光源５５が撓むと光源５５の裏面（発光側とは反対側の面）に対し、ベース部６０の湾曲部６０ａが沿うように面状に接触する。
【００３４】
ここで、本実施形態では、光源５５に対し促進部の一例としてのベース部６０（湾曲部６０ａ）が面状に接触している。このため、本実施形態では、光源５５に対しベース部４０（突出部４１）が点状に接触する第１の実施形態に比べ、光源５５からの放熱をより促すことが可能となる。なお、光源５５からの放熱を促すためには、ベース部６０をアルミニウムなどの金属材料により形成することが好ましい。また、放熱の観点からは、第１の突出部６１、第２の突出部６２、ねじ部材６３，６４なども金属材料により形成することが好ましい。
【００３５】
次に第３の実施形態について説明する。
第３の実施形態では、図４（ｂ）に示すように、平板状に形成され且つ主走査方向に沿って配置された接続部５３ｃに、上記第１の突出部６１、第２の突出部６２が設けられている。なお、第２の実施形態と同様に、第１の突出部６１には対向面６１ａが設けられ、第２の突出部６２には、対向面６２ａが設けられている。そして、本実施形態においても、光源５５は、第１の突出部６１、第２の突出部６２に対して固定されることで、撓んで配置されることとなる。なお、光源５５の撓みは、平板状に形成された接続部５３ｃによって規制される。このように、光源５５の撓みを規制する箇所は平板状に形成することもできる。
【００３６】
―第４の実施形態―
ここで、図５は、第４の実施形態におけるフルレートキャリッジ５３を示したものである。
同図（ａ）に示すように、本実施形態におけるフルレートキャリッジ５３は、第１の被ガイド部５３ａの第１プラテンガラス５２Ａ（本図では不図示）と対向する部位に、対向面５３ｐを備える。また、第２の被ガイド部５３ｂの第１プラテンガラス５２Ａと対向する部位に、対向面５３ｄを備える。また、フルレートキャリッジ５３は、第１の被ガイド部５３ａと第２の被ガイド部５３ｂとの間に、光源５５に接触し光源５５の撓み量などを規定する接触部５３ｅを備えている。
【００３７】
ここで、対向面５３ｐは、主走査方向における外側が上方に位置し、主走査方向における内側が下方に位置するように傾斜して形成されている。また、対向面５３ｄも、同じく、主走査方向における外側が上方に位置し、主走査方向における内側が下方に位置するように傾斜して形成されている。
さらに、フルレートキャリッジ５３は、対向面５３ｐに、ねじ部材５３ｍ（図６参照）が固定される雌ねじ部５３ｒと、対向面５３ｄに、対向面５３ｄから突出した突出部５３ｆを備えている。即ち、フルレートキャリッジ５３は、光源支持部として機能する第２の被ガイド部５３ｂの対向面５３ｄに、突出部５３ｆを備えている。さらに、フルレートキャリッジ５３は、突出部５３ｆの先端に取り付けられるリング状部材５３ｇを備えている。
一方、光源５５は、一端部に、上記ねじ部材５３ｍが挿入される丸穴状の貫通孔５５ａと、他端部に、上記突出部５３ｆが挿入される長穴状の貫通孔５５ｂを備えている。
【００３８】
本実施形態における光源５５は、貫通孔５５ｂに突出部５３ｆが挿入され所定位置に位置決めされた後、ねじ部材５３ｍによって一端部が第１の被ガイド部５３ａに固定される。また、この際、突出部５３ｆの先端にリング状部材５３ｇが取り付けられる。
これにより光源５５は、一端部が対向面５３ｐに沿うようになり、また他端部が対向面５３ｄに沿うようになる。この結果、上記と同様に、光源５５は、その中央部が第１プラテンガラス５２Ａから最も離間し、その両端部が第１プラテンガラス５２Ａに最も接近するように撓んだ状態で配置される。なお、リング状部材５３ｇは、第２の被ガイド部５３ｂから光源５５が外れることが規制している。
【００３９】
本実施形態における光源５５は、上記第１の実施形態〜第３の実施形態と同様に撓んで配置される。このため、第１プラテンガラス５２Ａと光源５５との接触を回避しつつ、原稿の端部における照射光量を増すことができる。
また、突出部５３ｆが挿入される貫通孔５５ｂは長穴状に形成されているため、光源５５が熱等により伸張したとしても、この伸張を許容することができる。このため、光源５５に歪みなどが発生することを抑制することができる。さらに、光源５５が熱等により伸張した場合、光源５５は、突出部５３ｆによってガイドされることとなる。このため、光源５５の位置ずれなどを抑制することができる。なお、上記では説明を省略したが、第１の実施形態においても光源５５の伸張を許容することができる。
【００４０】
なお、本実施形態では、光源５５の一方の端部側に丸孔状の貫通孔５５ａを設けたが、この一方の端部側における貫通孔５５ａも長穴状に形成することができる。このような構成とすれば光源５５の両端部にて伸張を許容することができる。
また、光源５５の端部における支持は、同図（ｂ）に示すように行うこともできる。即ち、第１の被ガイド部５３ａや第２の被ガイド部５３ｂにスリット５３ｈを設け、このスリット５３ｈに光源５５の端部を挿入することで支持を行うことができる。付言すれば、互いに対向する対向部５３ｊ，５３ｋを設けることでスリット５３ｈを形成し、このスリット５３ｈに光源５５の端部を挿入することで支持を行うことができる。本態様の場合、ねじ部材５３ｍやリング状部材５３ｇが不要となるため、部品点数の削減、省スペース化を図ることができる。
【００４１】
―第５の実施形態―
ここで図６は、第５の実施形態におけるフルレートキャリッジ５３を示した図である。なお、第４の実施形態と同様の機能については、同様の符号を用いここではその説明を省略する。同図に示すように、本実施形態では、予め撓ませた光源５５をフルレートキャリッジ５３に取り付けている。光源５５は、フルレートキャリッジ５３に取り付ける際に撓ませる態様の他、このように撓んだ状態にあるものを取り付けることができる。
【００４２】
ここで、光源５５について具体的に説明すると、光源５５は、一端部に平坦部５５ｅを備えるとともに、他端部にも平坦部５５ｆを備える。また、光源５５は、平坦部５５ｅと平坦部５５ｆとの間に下方に向かって凸なる湾曲部５５ｇを備える。そして、平坦部５５ｅは、第１の被ガイド部５３ａの第１プラテンガラス５２Ａ（本図では不図示）に沿って形成された対向面５３ｐに接触配置される。また、平坦部５５ｆは、第２の被ガイド部５３ｂの第１プラテンガラス５２Ａに沿って形成された対向面５３ｄに接触配置される。
そして、突出部５３ｆが貫通孔５５ｂに挿入された状態にて、ねじ部材５３ｍによって光源５５の一端部が第１の被ガイド部５３ａに固定される。また、突出部５３ｆの先端にリング状部材５３ｇが取り付けられる。本実施形態においても、光源５５の他端部に長穴状の貫通孔５５ｂが形成されているため、光源５５の伸張を許容することができる。
【図面の簡単な説明】
【００４３】
【図１】第１の実施形態が適用される画像読み取り装置の構成例を示す図である。
【図２】図１のＢ−Ｂ線における断面を示したものである。
【図３】コサイン４乗則による光量低下を説明するための図である。
【図４】第２の実施形態および第３の実施形態におけるフルレートキャリッジを示したものである。
【図５】第４の実施形態におけるフルレートキャリッジを示したものである。
【図６】第５の実施形態におけるフルレートキャリッジを示した図である。
【符号の説明】
【００４４】
１…画像読み取り装置、４１…突出部、４４…第１の斜辺部、４５…第２の斜辺部、４６…第１の貫通孔、４７…第２の貫通孔、５２Ａ…第１プラテンガラス、５２Ｂ…第２プラテンガラス、５３ｂ…第２の被ガイド部、５３ｆ…突出部、５３ｈ…スリット、５５…光源、５５ｂ…貫通孔、５８…結像用レンズ、５９…ＣＣＤイメージセンサ、６０…ベース部
【図１】
2009194878.tif 000003
【図２】
2009194878.tif 000004
【図３】
2009194878.tif 000005
【図４】
2009194878.tif 000006
【図５】
2009194878.tif 000007
【図６】
2009194878.tif 000008